(57)【要約】      （修正有）【課題】室内機に複数個の室内熱交換器と送風ファンを有し、各空気通路から吹き出される空調空気の温度差を変更できる空気調和機を提供する。【解決手段】各吹出口から吹き出される空気の温度を異ならせるために、第１室内膨張弁と第２室内膨張弁の開度をそれぞれ調整する。冷房運転時は、第２室内膨張弁の開度を第１室内膨張弁の開度より小さくして第２吹出温度を第１吹出温度より高くし、第１吹出口３ｆから吹き出された冷たい空気が、第２吹出口３ｇから吹き出された暖かい空気によって部屋の下方に落下することが防止する。暖房運転時は、第１室内膨張弁の開度を第２室内膨張弁の開度より小さくして第１吹出温度を第２吹出温度より低くし、第２吹出口３ｇから吹き出された暖かい空気が、第１吹出口３ｆから吹き出された冷たい空気によって部屋の上方に上昇することが防止する。【選択図】図２
2017172868.tif 000002
【特許請求の範囲】
【請求項１】
室内機と室外機を有し、
前記室内機は、本体筐体と、第１室内熱交換器と、第２室内熱交換器と、第１送風ファンと、第２送風ファンと、第１室内膨張弁と、第２室内膨張弁と、
を有する空気調和機であって、
前記本体筐体は、吸込口と、第１吹出口と、第２吹出口と、前記吸込口と前記第１吹出口および前記第２吹出口を連通する空気通路を有し、
前記第１吹出口と前記第２吹出口は、前記本体筐体の前面側の下部に上下に並べて配置されるとともに、前記第１吹出口が前記第２吹出口の上方に配置され、
前記空気通路は、第１空気通路と第２空気通路に区画され、
前記第１空気通路は、前記吸込口と前記第１吹出口を連通し、前記第１室内熱交換器と前記第１送風ファンが配置され、
前記第２空気通路は、前記吸込口と前記第２吹出口を連通し、前記第２室内熱交換器と前記第２送風ファンが配置され、
前記第１室内熱交換器に接続される前記第１室内膨張弁と、前記第２室内熱交換器に接続される前記第２室内膨張弁を有する、
ことを特徴とする空気調和機。
【請求項２】
前記第１吹出口には、第１上下風向板が設けられ、
前記第２吹出口には、第２上下風向板が設けられる、
ことを特徴とする請求項１に記載の空気調和機。
【請求項３】
前記室内機が冷房運転を行うとき、
前記第２室内膨張弁の開度を前記第１室内膨張弁の開度より小さくして、前記第２吹出口より吹き出される空気の温度である第２吹出温度を、前記第１吹出口より吹き出される空気の温度である第１吹出温度より高くする、
ことを特徴とする請求項１または請求項２に記載の空気調和機。
【請求項４】
前記室内機が暖房運転を行うとき、
前記第１室内膨張弁の開度を前記第２室内膨張弁の開度より小さくして、前記第２吹出口より吹き出される空気の温度である第２吹出温度を、前記第２吹出口より吹き出される空気の温度である第２吹出温度より低くする、
ことを特徴とする請求項１乃至請求項３に記載の空気調和機。
【発明の詳細な説明】
【技術分野】
【０００１】
本発明は、空気調和機に関わり、より詳細には、複数個の熱交換器と送風ファンを備えた室内機を有する空気調和機に関する。
【背景技術】
【０００２】
従来、室外機と室内機が冷媒配管で接続されて構成される空気調和機では、室内機での熱交換能力を向上させるために、室内機に複数個の室内熱交換器と送風ファンを設けるものが提案されている。例えば、特許文献１に記載の空気調和機では、室内機は、筐体上面および前面に設けられた吸込口と筐体前面下方に設けられた吹出口を結ぶ通気通路を有し、この空気通路が仕切体によって前方の第１空気通路と後方の第２空気通路に区画されている。そして、第１空気通路には第１室内熱交換器と第１送風ファンが設けられ、第２空気通路には第２室内熱交換器と第２送風ファンが設けられている。
【０００３】
上記の空気調和機が冷房運転あるいは暖房運転を行うときは、第１室内熱交換器と第２室内熱交換器の両方で室内空気と冷媒の熱交換が行われる。そして、各室内熱交換器で冷媒と熱交換を行った室内空気は、各送風ファンの回転によって各吹出口から室内に吹き出される。これにより、室内熱交換器と送風ファンを各々１つずつ設ける室内機に比べて、熱交換能力を向上させている。
【０００４】
ところで、上述した特許文献１に記載の空気調和機のように、室内機に２つの空気通路を有し各空気通路に室内熱交換器と送風ファンを設けるものでは、各空気通路から吹き出される空気の温度を異ならせることで、以下に記載するような効果が得られる。
【０００５】
例えば、冷房運転時に、一方の空気通路から吹き出される空調空気を部屋の窓際やドアの近く等の温度の高い領域に向け、この空気通路から吹き出される空調空気の温度を他方の空気通路から吹き出される空調空気の温度より低くする。これにより、部屋の温度ムラを少なくすることができる。また、空気通路を区画することで吹出口が上下に並ぶ配置となる場合に、上側の吹出口から吹き出される空調空気の温度を下側の吹出口から吹き出される空調空気の温度より低くすることで、暖房運転を行うときの暖気の浮き上がり（暖かい空気が上昇して部屋の上方に滞留する状態）や冷房運転を行うときの冷気落ち（冷たい空気が下降して部屋の下方に滞留する状態）を防止できる。
【先行技術文献】
【特許文献】
【０００６】
【特許文献１】特開２００３−１８５１６８号公報
【発明の概要】
【発明が解決しようとする課題】
【０００７】
特許文献１に記載の空気調和機のように室内機に複数の室内熱交換器を有するものでは、各室内熱交換器が並列に接続されかつ各室内熱交換器の冷媒流量は１個の膨張弁で調整されるのが一般的である。このため、各空気通路から吹き出される空調空気の温度を異ならせたい場合は、各空気通路に設けられる送風ファンの回転数を変えて風量を変える必要がある。
【０００８】
しかし、風量を変化させることのみで各空気通路から吹き出される空調空気の温度を異ならせる場合は、その温度差を大きくすることが困難であり、また、使用者が任意の風量とすることができないという問題があった。
【０００９】
本発明は以上述べた問題点を解決するものであって、室内機に複数個の室内熱交換器と送風ファンを有し、各空気通路から吹き出される空調空気の温度を変更できる空気調和機を提供することを目的とする。
【課題を解決するための手段】
【００１０】
上記の課題を解決するために、本発明の空気調和機は、室内機と室外機を有し、室内機は、本体筐体と、第１室内熱交換器と、第２室内熱交換器と、第１送風ファンと、第２送風ファンと、第１室内膨張弁と、第２室内膨張弁を有する。本体筐体は、吸込口と、第１吹出口と、第２吹出口と、吸込口と第１吹出口および第２吹出口を連通する空気通路を有する。第１吹出口と第２吹出口は、本体筐体の前面側の下部に上下に並べて配置されるとともに、第１吹出口が第２吹出口の上方に配置される。空気通路は、第１空気通路と第２空気通路に区画される。第１空気通路は、吸込口と第１吹出口を連通し、第１室内熱交換器と第１送風ファンが配置される。第２空気通路は、吸込口と第２吹出口を連通し、第２室内熱交換器と第２送風ファンが配置される。そして、第１室内熱交換器に接続される第１室内膨張弁と、第２室内熱交換器に接続される第２室内膨張弁を有する。
【発明の効果】
【００１１】
上記のように構成した本発明の空気調和機によれば、第１室内膨張弁と第２室内膨張弁の開度を調整することによって、第１空気通路から吹き出される空調空気の温度と第２空気通路から吹き出される空調空気の温度を変更することができる。
【図面の簡単な説明】
【００１２】
【図１】本発明の実施形態における、空気調和機の概略図である。
【図２】図１に示す室内機のＸ−Ｘにおける要部断面図である。
【図３】本発明の実施形態における、空気調和機の冷媒回路図である。
【発明を実施するための形態】
【００１３】
以下、本発明の実施の形態を、添付図面に基づいて詳細に説明する。実施形態としては、１台の室外機と１台の室内機を有しこれらが冷媒配管で接続された空気調和機を例に挙げて説明する。尚、本発明は以下の実施形態に限定されることはなく、本発明の主旨を逸脱しない範囲で種々変形することが可能である。
【実施例】
【００１４】
図１に示すように、本実施例における空気調和機１は、屋外に設置される室外機２と、室外機２に液管４およびガス管５で接続され部屋に設置される室内機３を備えている。
【００１５】
まずは、室内機３について説明する。図１および図２に示すように、室内機３は本体筐体である室内機本体３０を有している。室内機本体３０は、上面パネル３ａと、前面パネル３ｂと、第３ケーシング３ｅと、右側面パネル３ｊと、左側面パネル３ｋと、開閉パネル３ｈで形成される。これら各部材は、合成樹脂材で形成される。室内機本体３０は、上記各部材が組み合わされて、横長の直方体形状に形成される。
【００１６】
上面パネル３ａは長方形状に形成されて室内機本体３０の上面を形成する。上面パネル３ａには、室内機本体３０の内部に空気を取り込むための上面吸込口３ａａが設けられている。前面パネル３ｂは長方形状に形成されて室内機本体３０の前面を形成する。前面パネル３ｂには、室内機本体３０の内部に空気を取り込むための前面吸込口３ｂａが設けられている。第３ケーシング３ｅは、第２送風ファン３３ｂの外形に応じた円弧形状とこの円弧の両端に各々接続する直線を組み合わせた形状とされて、室内機本体３０の底面と背面と形成する。右側面パネル３ｊと左側面パネル３ｋは、それぞれが略台形形状に形成されて室内機本体３０の右側面と左側面を形成する。
【００１７】
開閉パネル３ｈは、前面パネル３ｂの一部を覆うように配置されて室内機３の意匠面を形成する。開閉パネル３ｈは、前面パネル３ｂに開閉自在に取り付けられる。開閉パネル３ｈは、室内機３の停止時は閉じ、室内機３の運転時は開いて前面パネル３ｂの前面吸込口３ｂａから室内機本体３０の内部に空気を取り込めるようにする。
【００１８】
室内機本体３０の前面パネル３ｂの下方には、第１吹出口３ｆと第２吹出口３ｇが上下に並べて設けられている。第１吹出口３ｆには、第１上下風向板３ｆａが上下方向に回動自在に設けられている。第２吹出口３ｇには、第２上下風向板３ｇａが上下方向に回動自在に設けられている。尚、第１吹出口３ｆと第２吹出口３ｇの一方あるいはそれぞれに左右風向板を設けてもよい。
尚、図２に示す断面図では、上述した開閉パネル３ｈの図示は省略している。
【００１９】
図２に示すように、室内機本体３０の内部には、主に前面吸込口３ｂａと第１吹出口３ｆを連通する第１空気通路３０１と、主に上面吸込口３ａａと第２吹出口３ｇを連通する第２空気通路３０２が設けられている。具体的には、室内機本体３０の内部は仕切部材である第２ケーシング３ｄで前後に区画されている。第１ケーシング３ｃと第２ケーシング３ｄで第１空気通路３０１が形成される。第２ケーシング３ｄと第３ケーシング３ｅで第２空気通路３０２が形成される。
【００２０】
第１ケーシング３ｃと第２ケーシング３ｄと第３ケーシング３ｅは、各々合成樹脂材で形成されている。第１ケーシング３ｃは、断面形状がヘ字状とされて前面パネル３ｂの下端部に固定されている。第１ケーシング３ｃの一部は第１ドレンパン３ｃａとされている。第１ドレンパン３ｃａは、後述する第１室内熱交換器３１ａで発生する凝縮水を受ける。第２ケーシング３ｄは、断面形状が第１送風ファン３３ａの外形に応じた円弧形状とされて室内機本体３０の左右側面に固定されている。第２ケーシング３ｄの上端部は第２ドレンパン３ｄａとされている。第２ドレンパン３ｄａは、第１室内熱交換器３１ａおよび後述する第２室内熱交換器３１ｂで発生する凝縮水を受ける。第３ケーシング３ｅは、前述したように断面形状が第２送風ファン３３ｂの外形に応じた円弧形状とこの円弧の両端に各々接続する直線を組み合わせた形状とされて室内機本体３０の上面パネル３ａと右側面パネル３ｊと左側面パネル３ｋに固定されている。第３ケーシング３ｅの一部は第３ドレンパン３ｅａとされている。第３ドレンパン３ｅａは、第２室内熱交換器３１ｂで発生する凝縮水を受ける。
【００２１】
以上説明した室内機３の室内機本体３０の内部には、図２および図３に示すように、第１室内熱交換器３１ａおよび第２室内熱交換器３１ｂと、第１室内膨張弁３２ａおよび第２室内膨張弁３２ｂと、液管４の一端が接続された液管接続部３４と、ガス管５の一端が接続されたガス管接続部３５と、第１送風ファン３３ａおよび第２送風ファン３３ｂを備えている。そして、第１送風ファン３３ａおよび第２送風ファン３３ｂを除くこれら各装置が以下で詳述する各冷媒配管で相互に接続されて、室内機冷媒回路１０ｂを構成している。
【００２２】
図２に示すように、第１室内熱交換器３１ａは、第１空気通路３０１の上流側に配置されている。第１室内熱交換器３１ａは、逆Ｖ字状に折り曲げて形成されており、その一端が第１ドレンパン３ｃａの上方に配置され、他端が第２ドレンパン３ｄａの上方に配置される。第１室内熱交換器３１ａは、冷媒と第１送風ファン３３ａの回転により主に前面吸込口３ｂａから第１空気通路３０１に流入する空気を熱交換させるものである。第１室内熱交換器３１ａの一方の冷媒出入口には第１液分管６８ａの一端が接続され、第１液分管６８ａの他端は、接続点Ｌで室内機液管６８と接続されている。また、第１室内熱交換器３１ａの他方の冷媒出入口には第１ガス分管６９ａの一端が接続され、第１ガス分管６９ａの他端は、接続点Ｇで室内機ガス管６９と接続されている。
【００２３】
第２室内熱交換器３１ｂは、第２空気通路３０２の上流側に配置されている。第２室内熱交換器３１ｂは、逆Ｖ字状に折り曲げて形成されており、その一端が第２ドレンパン３ｄａの上方に配置され、他端が第３ドレンパン３ｅａの上方に配置される。第２室内熱交換器３１ｂは、冷媒と第２送風ファン３３ｂの回転により主に上面吸込口３ａａから第２空気通路３０２に流入する空気を熱交換させるものである。第２室内熱交換器３１ｂの一方の冷媒出入口には第２液分管６８ｂの一端が接続され、第２液分管６８ｂの他端は、接続点Ｌで室内機液管６８および第１液分管６８ａと接続されている。また、第２室内熱交換器３１ｂの他方の冷媒出入口には第２ガス分管６９ｂの一端が接続され、第２ガス分管６９ｂの他端は、接続点Ｇで室内機ガス管６９および第１ガス分管６９ａと接続されている。
【００２４】
尚、室内機液管６８の他端は、液管接続部３４に接続され、室内機ガス管６９の他端は、ガス管接続部３５に接続される。液管接続部３４やガス管接続部３５では、各冷媒配管が溶接やフレアナット等により接続されている。
【００２５】
第１室内熱交換器３１ａと第２室内熱交換器３１ｂは、室内機３が冷房運転を行う場合は蒸発器として機能し、室内機３が暖房運転を行う場合は凝縮器として機能する。そして、本実施形態では、第１室内熱交換器３１ａと第２室内熱交換器３１ｂは、同じ熱交換容量を有する。ここで、熱交換容量とは、熱交換器の単位面積を通過する風量が一定である場合の冷媒と空気の間で行われる熱交換量を意味し、熱交換器Ａより熱交換器Ｂの方が熱交換容量が大きいということは、熱交換器Ｂの方が熱交換器Ａより熱交換量が多いことを示す。
【００２６】
第１室内膨張弁３２ａは、第１ガス分管６９ａに設けられている。第１室内膨張弁３２ａは電子膨張弁である。第２室内膨張弁３２ｂは、第２ガス分管６９ｂに設けられている。第２室内膨張弁３２ｂは電子膨張弁である。第１室内膨張弁３２ａと第２室内膨張弁３２ｂは、後述する第１吹出温度と第２吹出温度を異ならせる際に、その開度が調整される。
【００２７】
尚、本実施形態では、第１室内膨張弁３２ａと第２室内膨張弁３２ｂの弁径は同じである。つまり、第１室内膨張弁３２ａと第２室内膨張弁３２ｂの図示しないステッピングモータの各々に同じパルスを加えたとき、第１室内膨張弁３２ａと第２室内膨張弁３２ｂの開度が同じとなる。
【００２８】
第１送風ファン３３ａは合成樹脂材で形成されており、図２に示すように、第１空気通路３０１内かつ第１室内熱交換器３１ａの下流側に配置されている。第１送風ファン３３ａは、図示しないファンモータによって回転することで、主に前面吸込口３ｂａから第１空気通路３０１に空気を取り込み、第１室内熱交換器３１ａにおいて冷媒と熱交換した空気を第１吹出口３ｆから室内へ吹き出す。
【００２９】
第２送風ファン３３ｂは合成樹脂材で形成されており、図２に示すように、第２空気通路３０２内かつ第２室内熱交換器３１ｂの下流側に配置されている。第２送風ファン３３ｂは、図示しないファンモータによって回転することで、主に上面吸込口３ａａから第２空気通路３０２に空気を取り込み、第２室内熱交換器３１ｂにおいて冷媒と熱交換した空気を第２吹出口３ｇから室内へ吹き出す。
【００３０】
尚、本実施形態では、第１送風ファン３３ａと第２送風ファン３３ｂは同じものである。つまり、第１送風ファン３３ａと第２送風ファン３３ｂの各モータを同じ回転数で駆動したとき、第１送風ファン３３ａの送風量と第２送風ファン３３ｂの送風量が同じとなる。
【００３１】
以上説明した構成の他に、室内機３には各種のセンサが設けられている。第１液分管６８ａには、第１室内熱交換器３１ａに流出入する冷媒の温度を検出する第１液側温度センサ７７ａが設けられている。第２液分管６８ｂには、第２室内熱交換器３１ｂに流出入する冷媒の温度を検出する第２液側温度センサ７７ｂが設けられている。第１ガス分管６９ａにおける第１室内熱交換器３１ａと第１室内膨張弁３２ａの間には、第１室内熱交換器３１ａに流出入する冷媒の温度を検出する第１ガス側温度センサ７８ａが設けられている。第２ガス分管６９ｂにおける第２室内熱交換器３１ｂと第２室内膨張弁３２ｂの間には、第２室内熱交換器３１ｂに流出入する冷媒の温度を検出する第２ガス側温度センサ７８ｂが設けられている。そして、第１室内熱交換器３１ａ付近には、室内機本体３０に流入する空気の温度、すなわち室内温度を検出する室内温度センサ７９が備えられている。
【００３２】
次に、図１および図３を用いて、室外機２について説明する。図１に示すように、室外機２は縦長の直方体形状に形成された筐体を有し、筐体前面に吹出口２ａを有するとともに、筐体背面および左側面に図示しない吸込口を有している。
【００３３】
図３に示すように、室外機２は、圧縮機２１と、四方弁２２と、室外熱交換器２３と、液管４の他端が接続された閉鎖弁２５と、ガス管５の他端が接続された閉鎖弁２６と、アキュムレータ２７と、室外ファン２８を備えている。そして、室外ファン２８を除くこれら各装置が以下で詳述する各冷媒配管で相互に接続されて、室外機冷媒回路１０ａを構成している。
【００３４】
圧縮機２１は、図示しないインバータにより回転数が制御されるモータによって駆動されることで、運転容量を可変できる能力可変型圧縮機である。圧縮機２１の冷媒吐出側は、四方弁２２のポートａに吐出管６１で接続されており、また、圧縮機２１の冷媒吸入側は、アキュムレータ２７の冷媒流出側と吸入管６６で接続されている。
【００３５】
四方弁２２は、冷媒の流れる方向を切り換えるための弁であり、ａ、ｂ、ｃ、ｄの４つのポートを備えている。ポートａは、上述したように圧縮機２１の冷媒吐出側と吐出管６１で接続されている。ポートｂは、室外熱交換器２３の一方の冷媒出入口と冷媒配管６２で接続されている。ポートｃは、アキュムレータ２７の冷媒流入側と冷媒配管６５で接続されている。そして、ポートｄは、閉鎖弁２６と室外機ガス管６４で接続されている。
【００３６】
室外熱交換器２３は、冷媒と、後述する室外ファン２８の回転により室外機２の内部に取り込まれた外気を熱交換させるものである。室外熱交換器２３の一方の冷媒出入口は、上述したように四方弁２２のポートｂと冷媒配管６２で接続され、他方の冷媒出入口は室外機液管６３で閉鎖弁２５に接続されている。
【００３７】
室外ファン２８は合成樹脂材で形成されており、室外熱交換器２３の近傍に配置されている。室外ファン２８は、図示しないファンモータによって回転することで図示しない吸込口から室外機２の内部へ外気を取り込み、室外熱交換器２３において冷媒と熱交換した外気を吹出口２ａから室外機２の外部へ放出する。
【００３８】
アキュムレータ２７は、上述したように、冷媒流入側が四方弁２２のポートｃと冷媒配管６５で接続され、冷媒流出側が圧縮機２１の吸入ポート２６０と吸入管６６で接続されている。アキュムレータ２７は、冷媒配管６５からアキュムレータ２７の内部に流入した冷媒から冷凍機油を分離するとともに、冷媒をガス冷媒と液冷媒とに分離してガス冷媒のみを圧縮機２１に吸入させる。
【００３９】
以上説明した構成の他に、室外機２には各種のセンサが設けられている。図３に示すように、吐出管６１には、圧縮機２１から吐出される冷媒の圧力である吐出圧力を検出する高圧センサ７１と、圧縮機２１から吐出される冷媒の温度を検出する吐出温度センサ７３が設けられている。冷媒配管６５には、圧縮機２１に吸入される冷媒の圧力である吸入圧力を検出する低圧センサ７２と、圧縮機２１に吸入される冷媒の温度を検出する吸入温度センサ７４とが設けられている。
【００４０】
室外機液管６３における室外熱交換器２３と室外膨張弁２４の間には、室外熱交換器２３に流出入する冷媒の温度を検出する熱交温度センサ７５が設けられている。そして、室外熱交換器２３付近には、室外機２の内部に流入する外気の温度、すなわち外気温度を検出する外気温度センサ７６が備えられている。
【００４１】
以上説明した室外機２の室外機冷媒回路１０ａと室内機３の室内機冷媒回路１０ｂが液管４とガス管５で接続されて、空気調和機１の冷媒回路１０が構成される。
【００４２】
次に、本実施形態における空気調和機１の空調運転時の冷媒回路１０における冷媒の流れや各部の動作について、図３を用いて説明する。尚、以下の説明では、まず室内機３が冷房運転を行う場合について説明し、次に室内機３が暖房運転を行う場合について説明する。尚、図３における実線矢印は冷房運転時の冷媒の流れを示し、破線矢印は暖房運転時の冷媒の流れを示している。
＜冷房運転＞
【００４３】
図３に示すように、室内機３が冷房運転を行う場合、室外機２の四方弁２２は実線で示す状態、すなわち、四方弁２２のポートａとポートｂとが連通するよう、また、ポートｃとポートｄとが連通するよう、切り換えられる。これにより、冷媒回路１０を、冷媒が実線矢印で示す方向に循環する状態、つまり、室外熱交換器２３が凝縮器として機能させるとともに第１室内熱交換器３１ａと第２室内熱交換器３１ｂがともに蒸発器として機能させる冷房サイクルとする。
【００４４】
圧縮機２１から吐出された高圧の冷媒は、吐出管６１を流れて四方弁２２に流入し、四方弁２２から冷媒配管６２を流れて室外熱交換器２３に流入する。室外熱交換器２３に流入した冷媒は、室外ファン２８の回転により室外機２の内部に取り込まれた外気と熱交換を行って凝縮する。
【００４５】
室外熱交換器２３から流出した冷媒は室外機液管６３を流れ、全開とされている室外膨張弁２４および閉鎖弁２５を介して液管４に流出する。液管４を流れ液管接続部３４を介して室内機３に流入した冷媒は、室外機液管６８を流れて接続点Ｌで第１液分管６８ａと第２液分管６８ｂに分流する。
【００４６】
第１液分管６８ａに分流した冷媒は第１室内熱交換器３１ａに流入し、第１送風ファン３３ａの回転により第１空気通路３０１に流入した空気と熱交換を行って蒸発する。一方、第２液分管６８ｂに分流した冷媒は第２室内熱交換器３１ｂに流入し、第２送風ファン３３ｂの回転により第２空気通路３０２に流入した空気と熱交換を行って蒸発する。このように、第１室内熱交換器３１ａと第２室内熱交換器３１ｂが蒸発器として機能し、第１室内熱交換器３１ａで冷媒と熱交換を行った空気が第１吹出口３ｆから、第２室内熱交換器３１ｂで冷媒と熱交換を行った空気が第２吹出口３ｇから、それぞれ室内に吹き出されることによって、室内機３が設置された部屋の冷房が行われる。
【００４７】
第１室内熱交換器３１ａから第１ガス分管６９ａに流出し第１室内膨張弁３２ａで減圧された冷媒と、第２室内熱交換器３１ｂから第２ガス分管６９ｂに流出し第２室内膨張弁３２ｂで減圧された冷媒は、接続点Ｇで合流して室外機ガス管６９に流入し、ガス管接続部３５を介してガス管５に流出する。ガス管５を流れ閉鎖弁２６を介して室外機２に流入した冷媒は、室外機ガス管６４、四方弁２２、冷媒配管６５、アキュムレータ２８、吸入管６６の順に流れ、圧縮機２１に吸入されて再び圧縮される。
＜暖房運転＞
【００４８】
図３に示すように、室内機３で暖房運転を行う場合、室外機２の四方弁２２は破線で示す状態、すなわち、四方弁２２のポートａとポートｄとが連通するよう、また、ポートｂとポートｃとが連通するよう、切り換えられる。これにより、冷媒回路１０を、冷媒が破線矢印で示す方向に循環する状態、つまり、室外熱交換器２３が蒸発器として機能させるとともに第１室内熱交換器３１ａと第２室内熱交換器３１ｂがともに凝縮器として機能させる暖房サイクルとする。
【００４９】
圧縮機２１から吐出された高圧の冷媒は、吐出管６１を流れて四方弁２２に流入し、四方弁２２から室外機ガス管６４、閉鎖弁２６、ガス管５の順に流れて、ガス管接続部３５を介して室内機３に流入する。室内機３に流入した冷媒は、室内機ガス管６９を流れて接続点Ｇで第１ガス分管６９ａと第２ガス分管６９ｂに分流する。
【００５０】
第１ガス分管６９ａに分流した冷媒は第１室内膨張弁３２ａで減圧されて第１室内熱交換器３１ａに流入する。第１室内熱交換器３１ａに流入した冷媒は、第１送風ファン３３ａの回転により第１空気通路３０１に流入した空気と熱交換を行って凝縮する。一方、第２ガス分管６９ｂに分流した冷媒は第２室内膨張弁３２ｂで減圧されて第２室内熱交換器３１ｂに流入する。第２室内熱交換器３１ｂに流入した冷媒は、第２送風ファン３３ｂの回転により第２空気通路３０２に流入した空気と熱交換を行って凝縮する。このように、第１室内熱交換器３１ａと第２室内熱交換器３１ｂが凝縮器として機能し、第１室内熱交換器３１ａで冷媒と熱交換を行った空気が第１吹出口３ｆから、第２室内熱交換器３１ｂで冷媒と熱交換を行った空気が第２吹出口３ｇから、それぞれ室内に吹き出されることによって、室内機３が設置された部屋の暖房が行われる。
【００５１】
第１室内熱交換器３１ａから第１液分管６８ａに流出した冷媒と第２室内熱交換器３１ｂから第２液分管６８ｂに流出した冷媒は、接続点Ｌで合流して室外機液管６８に流入し、液管接続部３４を介して液管４に流出する。
【００５２】
液管４を流れる冷媒は、閉鎖弁２５を介して室外機２に流入する。室外機２に流入した冷媒は、室外機液管６３を流れ、吐出温度センサ７３で検出した圧縮機２１の吐出温度に応じた開度とされた室外膨張弁２４を通過するときにさらに減圧される。室外機液管６３から室外熱交換器２３に流入した冷媒は、室外ファン２８の回転により室外機２の内部に取り込まれた外気と熱交換を行って蒸発する。室外熱交換器２３から流出した冷媒は、冷媒配管６２、四方弁２２、冷媒配管６５、アキュムレータ２８、吸入管６６の順に流れ、圧縮機２１に吸入されて再び圧縮される。
【００５３】
次に、図１乃至図３を用いて、本発明の空気調和機１で第１吹出口３ｆから吹き出される空気の温度（以降、第１吹出温度と記載する）と第２吹出口３ｇから吹き出される空気の温度（以降、第２吹出温度と記載する）を異ならせる方法と、その効果について説明する。
【００５４】
尚、以下の説明では、第１吹出温度と第２吹出温度を異ならせて、空気調和機１の冷房運転時に室内機３から吹き出される冷たい空気が、室内機３が設置された部屋の下方（床付近）に滞留する状態である冷気落ちを防止する場合と、空気調和機１の暖房運転時に室内機３から吹き出される暖かい空気が、室内機３が設置された部屋の上方（天井付近）に滞留する状態である暖気の浮き上がりを防止する場合を例に挙げて説明する。
＜冷房運転時に冷気落ちを防止する場合＞
【００５５】
前述したように、空気調和機１が冷房運転を行うときは、冷媒回路１０を図３に示す実線矢印の方向に冷媒が循環し、第１室内熱交換器３１ａと第２室内熱交換器３１ｂが蒸発器として機能する。このとき、第２室内膨張弁３２ｂの開度を第１室内膨張弁３２ａの開度より小さくする。例えば、第１室内膨張弁３２ａの開度が全開である場合は、第２室内膨張弁３２ｂの開度を全開より１０％程度小さい開度とする。
【００５６】
第２室内膨張弁３２ｂの開度を第１室内膨張弁３２ａの開度より小さくすれば、第２室内熱交換器３１ｂを流れる冷媒量が第１室内熱交換器３１ａを流れる冷媒量より少なくなり、第２室内熱交換器３１ｂでの熱交換量も第１室内熱交換器３１ａでの熱交換量より少なくなる。これにより、第２室内熱交換器３１ｂの冷媒出口側での冷媒温度（第２ガス側温度センサ７８ｂで検出できる）は、第１室内熱交換器３１ａの冷媒出口側での冷媒温度（第１ガス側温度センサ７８ａで検出できる）より高くなる。
【００５７】
以上の結果、第２吹出温度が第１吹出温度より高くなるため、第１吹出口３ｆから吹き出された下降しやすい空気が第２吹出口３ｇから吹き出された上昇しやすい空気によって支えられるので、冷房運転時の冷気落ちを防止できる。
＜暖房運転時に暖気の浮き上がりを防止する場合＞
【００５８】
前述したように、空気調和機１が暖房運転を行うときは、冷媒回路１０を図３に示す破線矢印の方向に冷媒が循環し、第１室内熱交換器３１ａと第２室内熱交換器３１ｂが凝縮器として機能する。このとき、第１室内膨張弁３２ａの開度を第２室内膨張弁３２ｂの開度より小さくする。例えば、第２室内膨張弁３２ｂの開度が全開である場合は、第１室内膨張弁３２ａの開度を全開より１０％程度小さい開度とする。
【００５９】
第１室内膨張弁３２ａの開度を第２室内膨張弁３２ｂの開度より小さくすれば、第１室内熱交換器３１ａを流れる冷媒量が第２室内熱交換器３１ｂを流れる冷媒量より少なくなり、第１室内熱交換器３１ａでの熱交換量も第２室内熱交換器３１ｂでの熱交換量より少なくなる。これにより、第１室内熱交換器３１ａの冷媒出口側での冷媒温度（第１液側温度センサ７７ａで検出できる）は、第２室内熱交換器３１ｂの冷媒出口側での冷媒温度（第２液側温度センサ７７ｂで検出できる）より低くなる。
【００６０】
以上の結果、第１吹出温度が第２吹出温度より低くなるため、第２吹出口３ｇから吹き出された上昇しやすい空気が、第１吹出口３ｆから吹き出された下降しやすい空気によって押さえ込まれるので、暖房運転時の暖気の浮き上がりを防止できる。
【００６１】
尚、冷房運転時の冷気落ちや暖房運転時の暖気の浮き上がりを防止する際は、図２に示すように、第１上下風向板３ｆａと第２上下風向板３ｇａが平行であることが望ましい。第１上下風向板３ｆａと第２上下風向板３ｇａが平行でない場合、例えば、第１上下風向板３ｆａが上向き／第２上下風向板３ｇａが下向きとなっていると、各吹出口から吹き出される空気が離れていく方向に向かって流れるので、冷気落ちや暖気の浮き上がりを効果的に防止できない。また、第１上下風向板３ｆａが下向き／第２上下風向板３ｇａが上向きとなっていると、各吹出口から吹き出される空気が混ざって第１吹出温度と第２吹出温度の温度差がなくなるため、やはり冷気落ちや暖気の浮き上がりを効果的に防止できない。
【００６２】
以上説明した冷気落ち防止や暖気の浮き上がり防止以外でも、第１吹出温度と第２吹出温度を異ならせることで様々な効果が得られる。例えば、冷房運転時に第１室内膨張弁３２ａと第２室内膨張弁３２ｂの開度をそれぞれ調整して第１吹出温度を第２吹出温度より低くし、第２吹出口３ｇより上方に配置される第１吹出口３ｆから吹き出される空気を窓際やドアの近く等の温度が高い領域に送風することで、部屋の温度ムラを軽減することができる。また、部屋に複数の使用者が存在する場合に、第１室内膨張弁３２ａと第２室内膨張弁３２ｂの開度をそれぞれ調整して第１吹出温度を第２吹出温度異ならせることで、各使用者の好みに応じた空調空気を送風することもできる。
【００６３】
尚、以上説明した実施形態では、第１吹出温度と第２吹出温度を異ならせるときに、第１室内膨張弁３２ａと第２室内膨張弁３２ｂの開度をそれぞれ調整する場合を説明したが、これに加えて第１送風ファン３３ａと第２送風ファン３３ｂの各々の回転数を変えることで、第１室内熱交換器３１ａへの送風量と第２室内熱交換器３１ｂへの送風量を異ならせてもよい。
【００６４】
また、第１室内熱交換器３１ａと第２室内熱交換器３１ｂの熱交換容量を同じとしているが、例えば、暖房運転時の暖気の浮き上がりをより強く抑制したい空気調和機である場合は、第２室内熱交換器３１ｂの熱交換容量より大きい熱交換容量を有する第１室内熱交換器３１ａを設ける、というように、目的に応じて第１室内熱交換器３１ａと第２室内熱交換器３１ｂの熱交換容量に差を設けてもよい。このとき、熱交換容量に差に応じて送風ファンの送風能力や室内膨張弁の弁径が異なるものを用いてもよい。
【符号の説明】
【００６５】
１  空気調和機
２  室外機
３  室内機
３ａ  上面パネル
３ａａ  上面吸込口
３ｂ  前面パネル
３ｂａ  前面吸込口
３ｃ  第１ケーシング
３ｄ  第２ケーシング
３ｅ  第３ケーシング
３ｆ  第１吹出口
３ｆａ  第１上下風向板
３ｇ  第２吹出口
３ｇａ  第２上下風向板
３ｊ  右側面パネル
３ｋ  左側面パネル
２１  圧縮機
２２  四方弁
２３室外熱交換器
３０  室内機本体
３１ａ  第１室内熱交換器
３１ｂ  第２室内熱交換器
３２ａ  第１室内膨張弁
３２ｂ  第２室内膨張弁
３３ａ  第１送風ファン
３３ｂ  第２送風ファン
３０１  第１空気通路
３０２  第２空気通路
【図１】
2017172868.tif 000003
【図２】
2017172868.tif 000004
【図３】
2017172868.tif 000005